【手続補正書】
【提出日】平成15年11月7日(2003.11.7)
【手続補正１】
【補正対象書類名】特許請求の範囲
【補正対象項目名】全文
【補正方法】変更
【補正の内容】
【特許請求の範囲】
【請求項１】
以下のものを備える、地上の異なる場所の間に共通タイムベースを提供するためのシステム。
通信路の構成要素を搭載する宇宙飛行体であって、該宇宙飛行体の位置が既知であるものと、
地上の異なる場所にある複数の受信局であって、各受信局が前記構成要素からの基準信号の受信に適合されているものと、
前記複数の受信局間で同期化されたタイムベースの提供に適合されている同期化手段と、
前記宇宙飛行体の既知の位置を用いると共に各受信基準信号の伝搬時間に従った、前記同期化されたタイムベースの同期誤差の補正に適合されている補正手段。
【請求項２】
請求項１に記載のシステムにおいて、少なくとも一つの受信局が前記基準信号を受信するための相関利得を生み出す相関受信機を備えるもの。
【請求項３】
請求項２に記載のシステムにおいて、前記相関受信機が前記基準信号に含まれる所定の信号パターンの相関を基礎とするもの。
【請求項４】
請求項２に記載のシステムにおいて、前記相関受信機がスペクトラム拡散信号のスペクトラム拡散復調を基礎とするもの。
【請求項５】
請求項４に記載のシステムにおいて、前記スペクトラム拡散復調が前記相関利得に対応する処理利得を生み出すもの。
【請求項６】
以下の手順を有する、通信路の構成要素を搭載する宇宙飛行体の助力を得ながら地上の異なる場所の間に共通タイムベースを提供するための方法であって、該宇宙飛行体の位置が既知であるもの。
地上の異なる場所にある複数の受信局により前記構成要素からの基準信号を受信する手順と、
前記複数の受信局間で同期化されたタイムベースを提供する手順と、
前記宇宙飛行体の既知の位置を用いると共に各受信基準信号の伝搬時間に従った、前記同期化されたタイムベースの同期誤差を補正する手順。
【請求項７】
請求項６に記載の方法において、少なくとも一つの受信局に対して第１及び／又は第２基準信号を受信するための相関利得を生み出す相関方法が適用されるもの。
【請求項８】
請求項７に記載の方法において、前記相関方法が前記第１及び／又は第２基準信号に含まれる所定の信号パターンの相関を基礎とするもの。
【請求項９】
請求項７に記載の方法において、前記相関方法がスペクトラム拡散信号のスペクトラム拡散復調をを基礎とするもの。
【請求項１０】
請求項９に記載の方法において、前記スペクトラム拡散復調が前記相関利得に対応する処理利得を生み出すもの。
【請求項１１】
以下のものを備える、通信路の構成要素を搭載する宇宙飛行体の助力を得ながら地上の異なる場所の間に共通タイムベースを提供するための処理局であって、該宇宙飛行体の位置が既知であるもの。
地上の異なる場所にある複数の受信局からの伝搬時間データの受信に適合されている伝搬時間データ受信手段であって、各受信局が前記構成要素からの基準信号の受信に適合されていて、該複数の受信局間で同期化されたタイムベースが提供されるものと、
前記宇宙飛行体の既知の位置を用いると共に各受信基準信号の伝搬時間に従った、前記同期化されたタイムベースの同期誤差の補正に適合されている補正手段。
【請求項１２】
以下の手順を有する、通信路の構成要素を搭載する宇宙飛行体の助力を得ながら地上の異なる場所の間に共通タイムベースを提供するための処理方法であって、該宇宙飛行体の位置が既知であるもの。
地上の異なる場所にある複数の受信局からの伝搬時間データを受信する手順であって、各受信局が前記構成要素からの基準信号の受信に適合されていて、該複数の受信局間で同期化されたタイムベースが提供されるものと、
前記宇宙飛行体の既知の位置を用いつつ各受信基準信号の伝搬時間に従い、前記同期化されたタイムベースの同期誤差を補正する手順。
【請求項１３】
以下のものを備える、測距情報が既知である第２宇宙飛行体（衛星１Ａ）の助力を得ながら第１宇宙飛行体（衛星２Ａ）の測距情報を決定するための測距システムであって、該第１宇宙飛行体（衛星２Ａ）が通信路の第１構成要素を搭載し、該第２宇宙飛行体（衛星１Ａ）が通信路の第２構成要素を搭載するもの。
地上の異なる場所にある複数の受信局であって、各受信局が前記第１構成要素からの第１基準信号と前記第２構成要素からの第２基準信号の受信に適合されているものと、
前記複数の受信局間で同期化されたタイムベースの提供に適合されている同期化手段と、
各第１基準信号の伝搬時間に従った前記測距情報の計算に適合されている計算手段であって、前記同期化されたタイムベースの同期誤差が各第２基準信号に基づく前記第２宇宙飛行体（衛星１Ａ）の既知の測距情報により補正されるもの。
【請求項１４】
請求項１３に記載の測距システムにおいて、少なくとも一つの受信局が前記第１及び／又は第２基準信号を受信するための相関利得を生み出す相関受信機を備えるもの。
【請求項１５】
請求項１４に記載の測距システムにおいて、前記相関受信機が前記第１及び／又は第２基準信号に含まれる所定の信号パターンの相関を基礎とするもの。
【請求項１６】
請求項１４に記載の測距システムにおいて、前記相関受信機がスペクトラム拡散信号のスペクトラム拡散復調をを基礎とするもの。
【請求項１７】
請求項１６に記載の測距システムにおいて、前記スペクトラム拡散復調が前記相関利得に対応する処理利得を生み出すもの。
【請求項１８】
以下の手順を有する、測距情報が既知である第２宇宙飛行体（衛星１Ａ）の助力を得ながら第１宇宙飛行体（衛星２Ａ）の測距情報を決定するための測距方法であって、該第１宇宙飛行体（衛星２Ａ）が通信路の第１構成要素を搭載し、該第２宇宙飛行体（衛星１Ａ）が通信路の第２構成要素を搭載するもの。
前記第１構成要素からの第１基準信号と前記第２構成要素からの第２基準信号を地上の異なる場所にある複数の受信局によりそれぞれ受信する手順と、
前記複数の受信局間で同期化されたタイムベースを提供する手順と、
各第１基準信号の伝搬時間に従い前記測距情報を計算する手順であって、前記同期化されたタイムベースの同期誤差が各第２基準信号に基づく前記第２宇宙飛行体（衛星１Ａ）の既知の測距情報により補正されるもの。
【請求項１９】
請求項１８に記載の方法において、少なくとも一つの受信局に対して第１及び／又は第２基準信号を受信するための相関利得を生み出す相関方法が適用されるもの。
【請求項２０】
請求項１９に記載の方法において、前記相関方法が前記第１及び／又は第２基準信号に含まれる所定の信号パターンの相関を基礎とするもの。
【請求項２１】
請求項１９に記載の方法において、前記相関方法がスペクトラム拡散信号のスペクトラム拡散復調をを基礎とするもの。
【請求項２２】
請求項２１に記載の方法において、前記スペクトラム拡散復調が前記相関利得に対応する処理利得を生み出すもの。
【請求項２３】
以下のものを備える、測距情報が既知である第２宇宙飛行体（衛星１Ａ）の助力を得ながら第１宇宙飛行体（衛星２Ａ）の測距情報を提供するための受信局であって、該第１宇宙飛行体（衛星２Ａ）が通信路の第１構成要素を搭載し、該第２宇宙飛行体（衛星１Ａ）が通信路の第２構成要素を搭載するもの。
前記第１構成要素からの第１基準信号と前記第２構成要素からの第２基準信号の受信に適合されているアンテナと、
前記受信局と地上の基準点との間で同期化されたタイムベースの提供に適合されている同期化手段であって、前記同期化されたタイムベースの同期誤差が前記第２基準信号に基づく前記第２宇宙飛行体（衛星１Ａ）の既知の測距情報により補正されるものと、
前記補正した同期化されたタイムベースに従った前記第１基準信号の伝搬時間の測定に適合されている測定手段。
【請求項２４】
以下の手順を有する、測距情報が既知である第２宇宙飛行体（衛星１Ａ）の助力を得ながら第１宇宙飛行体（衛星２Ａ）の測距情報を提供するための受信局の作動方法であって、該第１宇宙飛行体（衛星２Ａ）が通信路の第１構成要素を搭載し、該第２宇宙飛行体（衛星１Ａ）が通信路の第２構成要素を搭載するもの。
前記第１構成要素からの第１基準信号と前記第２構成要素からの第２基準信号を受信する手順と、
前記受信局と地上の基準点との間で同期化されたタイムベースを提供する手順であって、前記同期化されたタイムベースの同期誤差が前記第２基準信号に基づく前記第２宇宙飛行体（衛星１Ａ）の既知の測距情報により補正されるものと、
前記補正した同期化されたタイムベースに従い前記第１基準信号の伝搬時間を測定する手順。
【請求項２５】
以下のものを備える、測距情報が既知である第２宇宙飛行体（衛星１Ａ）の助力を得ながら第１宇宙飛行体（衛星２Ａ）の測距情報を処理するための処理局であって、該第１宇宙飛行体（衛星２Ａ）が通信路の第１構成要素を搭載し、該第２宇宙飛行体（衛星１Ａ）が通信路の第２構成要素を搭載するもの。
地上の異なる場所にある複数の受信局からの伝搬時間データの受信に適合されている伝搬時間データ受信手段。
ここで、各受信局が前記第１構成要素からの第１基準信号と前記第２構成要素からの第２基準信号の受信に適合されていて、前記複数の受信局間で同期化されたタイムベースが提供され、前記同期化されたタイムベースの同期誤差が各第２基準信号に基づく前記第２宇宙飛行体（衛星１Ａ）の既知の測距情報により補正される。
【請求項２６】
以下の手順を有する、測距情報が既知である第２宇宙飛行体（衛星１Ａ）の助力を得ながら第１宇宙飛行体（衛星２Ａ）の測距情報を処理するための処理方法であって、該第１宇宙飛行体（衛星２Ａ）が通信路の第１構成要素を搭載し、該第２宇宙飛行体（衛星１Ａ）が通信路の第２構成要素を搭載するもの。
地上の異なる場所にある複数の受信局からの伝搬時間データを受信する手順。
ここで、各受信局が前記第１構成要素からの第１基準信号と前記第２構成要素からの第２基準信号の受信に適合されていて、前記複数の受信局間で同期化されたタイムベースが提供され、前記同期化されたタイムベースの同期誤差が各第２基準信号に基づく前記第２宇宙飛行体（衛星１Ａ）の既知の測距情報により補正される。